(57)【要約】【課題】医療用動画像の表示に係る操作について操作性の向上を図った医療動画像表示システムを提供する。【解決手段】手術に係る動画像を一又は複数入力する切替装置１１０と、切替装置１１０から入力した一の動画像を複数に分配してタッチパネル１４０及びモニタ１５０の双方に表示させるワークステーション１２０及び分配装置１３０と、を備える。そして、ワークステーション１２０は、動画像を表示させているタッチパネル１４０に、モニタ１５０に係る操作を受け付ける操作画面又は操作アイコンを表示させる。【選択図】図１
2018060517.tif 000002
【特許請求の範囲】
【請求項１】
手術に係る動画像を一又は複数入力する入力手段と、
前記入力手段から入力した一の前記動画像を複数に分配してタッチパネル及びモニタの双方に表示させる制御手段と、を備え、
前記制御手段は、前記動画像を表示させている前記タッチパネルに、前記モニタに係る操作を受け付ける操作画面又は操作アイコンを表示させる医療動画像表示システム。
【請求項２】
前記制御手段は、
前記タッチパネルの表示領域の一部に表示させている前記動画像の表示位置を、前記タッチパネルが受け付けたドラッグ操作に基づいて移動可能に構成されており、且つ、
ドラッグ操作による前記動画像の表示位置の移動に応じて、前記モニタにおける前記動画像の表示位置も移動させる請求項１に記載の医療動画像表示システム。
【請求項３】
前記制御手段は、
前記タッチパネルの表示領域に表示させている前記動画像のサイズを、前記タッチパネルが受け付けたドラッグ操作に基づいて拡縮可能に構成されており、且つ、
ドラッグ操作による前記動画像のサイズの拡縮に応じて、前記モニタにおける前記動画像のサイズも拡縮させる請求項１または２に記載の医療動画像表示システム。
【請求項４】
前記制御手段は、
前記タッチパネル及び前記モニタの表示領域をメイン画面と前記メイン画面に重畳しているサブ画面とに分割して前記動画像を表示させることができ、
前記タッチパネルの前記サブ画面に前記動画像を表示させている場合において、当該サブ画面に対して行った操作に基づいて当該サブ画面の表示態様を変更させることができ、
前記タッチパネルの前記サブ画面に表示されている前記動画像を前記モニタの前記サブ画面に分配して表示させ、且つ前記タッチパネルの前記サブ画面に対する操作に基づく表示態様の変更が前記モニタの前記サブ画面の表示態様に反映される請求項１から３のいずれか一項に記載の医療動画像表示システム。
【請求項５】
前記制御手段は、
前記タッチパネルの前記メイン画面に前記動画像を表示させている場合において、当該メイン画面に対して行った操作に基づいて当該サブ画面の表示態様を変更させることができ、
前記タッチパネルの前記メイン画面に表示されている前記動画像を前記モニタの前記メイン画面に分配して表示させ、且つ前記タッチパネルの前記メイン画面に対する操作に基づく表示態様の変更が前記モニタの前記メイン画面の表示態様に反映される請求項４に記載の医療動画像表示システム。
【請求項６】
前記制御手段は、
前記タッチパネルの前記サブ画面に前記動画像を表示させている場合において、当該サブ画面に対して行った操作に基づいて、当該サブ画面の外郭のサイズを維持したまま当該動画像のサイズを拡縮可能であり、且つ、
前記タッチパネルの前記サブ画面に対するピンチ操作に基づく前記動画像のサイズの拡縮に応じて、前記モニタの前記サブ画面の外郭のサイズを維持したまま当該サブ画面に表示されている前記動画像のサイズを拡縮可能である請求項４又は５に記載の医療動画像表示システム。
【請求項７】
前記制御手段は、
前記タッチパネルの前記サブ画面に前記動画像を表示させている場合において、当該サブ画面に対して行った操作に基づいて、当該サブ画面の表示位置を維持したまま当該動画像の表示位置を移動させることができ、且つ、
前記タッチパネルの前記サブ画面に対するピンチ操作に基づく前記動画像の表示位置の移動に応じて、前記モニタの前記サブ画面の表示位置を維持したまま当該サブ画面に表示されている前記動画像の表示位置を移動させることができる請求項４から６のいずれか一項に記載の医療動画像表示システム。
【請求項８】
前記制御手段は、
前記タッチパネルの前記サブ画面に前記動画像を表示させている場合において、当該サブ画面に対して行った操作に基づいて、当該サブ画面の表示角度を維持したまま当該動画像を回転させることができ、且つ、
前記タッチパネルの前記サブ画面に対する操作に基づく前記動画像の表示角度の回転に応じて、前記モニタの前記サブ画面の表示角度を維持したまま当該サブ画面に表示されている前記動画像を回転させることができる請求項４から７のいずれか一項に記載の医療動画像表示システム。
【請求項９】
前記タッチパネルに表示される前記操作画面には、前記入力手段から入力した前記動画像のサムネイルが含まれており、
前記制御手段は、前記サムネイルに示された前記動画像のうち前記タッチパネルが受け付けたタッチ操作に基づいて選択された前記動画像を前記サムネイルとは個別に前記タッチパネルに表示させると共に、当該動画像を前記モニタに表示させる請求項１から８のいずれか一項に記載の医療動画像表示システム。
【請求項１０】
前記制御手段は、前記操作画面及び前記操作アイコンを、前記モニタに表示させない請求項１から９のいずれか一項に記載の医療動画像表示システム。
【請求項１１】
前記モニタの表示領域が、前記タッチパネルの表示領域に比べて大きい請求項１から１０のいずれか一項に記載の医療動画像表示システム。
【発明の詳細な説明】
【技術分野】
【０００１】
本発明は、医療動画像表示システムに関する。
【背景技術】
【０００２】
近年、内視鏡外科手術等の外科手術において、患部を直接に視認するのみならず、医療機器に付設される撮像装置によって撮像された動画像をモニタに表示し、その動画像を見ながら行う術式が多数存在する。
このような外科手術において患部を撮像する態様は複数になる場合もあり、このような場合にはモニタに出力する動画像を適宜切り換える必要がある。また、このような外科手術において撮像された動画像は録画されて臨床研究等に用いられることもある。
この種の技術として、下記の特許文献１及び特許文献２を例示する。
【０００３】
特許文献１には、映像信号を選択および切り換えるマトリックススイッチと、選択された映像信号に文字や図形等のタイトル信号を重畳するオンスクリーンコントローラを有する装置が記載されている。同装置は、具体的には、マトリックススイッチの選択および切り換えとオンスクリーンコントローラの表示切換を同時に行うことを特徴とする。
【０００４】
特許文献２には、外科手術に用いられる映像システムであって、内視鏡映像信号と超音波映像信号をそれぞれ異なるモニタに再生表示したり録画機器に記録したりすることが記載されている。また、同映像システムは、モニタ群で映像信号が出力された映像機器（カメラ）から固有情報を受信して当該映像機器の種別を判別する判別手段を備えることで複数の映像機器の接続状態を表示可能にすることを特徴とする。
【先行技術文献】
【特許文献】
【０００５】
【特許文献１】特開平１０−９８７０８号公報
【特許文献２】特開２００４−３１２４６８号公報
【発明の概要】
【発明が解決しようとする課題】
【０００６】
特許文献１及び特許文献２に例示される従来技術に係る操作性は芳しいものではなく、所望の操作を行うには一定の練度が必要であった。
本発明は、上記の課題に鑑みなされたものであり、医療用動画像の表示に係る操作について操作性の向上を図った医療動画像表示システムを提供するものである。
【課題を解決するための手段】
【０００７】
本発明によれば、手術に係る動画像を一又は複数入力する入力手段と、前記入力手段から入力した一の前記動画像を複数に分配してタッチパネル及びモニタの双方に表示させる制御手段と、を備え、前記制御手段は、前記動画像を表示させている前記タッチパネルに、前記モニタに係る操作を受け付ける操作画面又は操作アイコンを表示させる医療動画像表示システムが提供される。
【０００８】
上記発明によれば、モニタに表示されている動画像を見なくても、タッチパネルに表示されている動画像を見ながらモニタに表示されている動画像に対して所望の操作を行うことができる。
【発明の効果】
【０００９】
本発明によれば、医療用動画像の表示に係る操作について操作性の向上を図った医療動画像表示システムが提供される。
【図面の簡単な説明】
【００１０】
【図１】本実施形態に係る医療動画像表示システムを示す図である。
【図２】タッチパネルの表示画面及びモニタの表示画面の一具体例を示す図である。
【図３】モニタの表示画面に係る分割方式の一具体例を示す図である。
【図４】タッチパネルに係る操作方法を説明するための模式図である。
【図５】タッチパネルに係る操作方法を説明するための模式図である。
【図６】タッチパネルに係る操作方法を説明するための模式図である。
【図７】タッチパネルに係る操作方法を説明するための模式図である。
【図８】タッチパネルに係る操作方法を説明するための模式図である。
【図９】タッチパネルに係る操作方法を説明するための模式図である。
【図１０】タッチパネルに係る操作方法を説明するための模式図である。
【図１１】タッチパネルに係る操作方法を説明するための模式図である。
【図１２】タッチパネルに係る操作方法を説明するための模式図である。
【図１３】拡張パネルの拡大図である。
【発明を実施するための形態】
【００１１】
以下、本発明の実施形態について、図面を用いて説明する。なお、すべての図面において、同様の構成要素には同一の符号を付し、適宜に説明を省略する。
【００１２】
＜医療動画像表示システム１００に含まれる各構成要素について＞
まず、医療動画像表示システム１００に含まれる各構成要素について、図１を用いて説明する。図１は、本実施形態に係る医療動画像表示システム１００を示す図である。
なお、図１に図示される矢印は、各構成要素の間において授受される動画像の出力元と入力先とを示すものである。従って、動画像以外の情報やデータの授受については、必ずしも各矢印が示す内容と一致しなくてよい。
【００１３】
医療動画像表示システム１００は、切替装置１１０と、ワークステーション１２０と、分配装置１３０と、タッチパネル１４０と、複数のモニタ１５０（第１モニタ１５１、第２モニタ１５２、第３モニタ１５３）と、を備える。
切替装置１１０は、手術に係る動画像を一又は複数入力する入力手段として機能する。
ワークステーション１２０と分配装置１３０とは互いに連動することによって、切替装置１１０から入力した一の動画像を複数に分配してタッチパネル１４０及びモニタ１５０の双方に表示させ、且つ、動画像を表示させているタッチパネル１４０に、モニタ１５０に係る操作を受け付ける操作画面又は操作アイコンを表示させる制御手段として機能する。
【００１４】
ここで「動画像」とは、連続的に変化する静止画像を表示することによって撮像されている対象物が動いているように見える静止画像の集合体であって、映像と同義である。また、本実施形態に係る説明において動画像と呼称する場合には、所定の表示処理によって動画像としてタッチパネル１４０やモニタ１５０に表示されるファイルデータ（動画データ）を意味する場合がある。
【００１５】
ここで「手術に係る動画像」とは、医療行為として行われる手術に関連する動画像である。「手術に係る動画像」の具体例としては、例えば、内視鏡等の医療機器に付設された撮像装置によって撮像された動画像、又は被施術者の状態を計測する計測機器が出力した動画像等が挙げられる。
【００１６】
ここで「一の動画像を複数に分配する」とは、一の動画像を複数の出力先に出力することをいい、例えば、内視鏡（図示せず）によって撮像された動画像をワークステーション１２０が入力し、入力した動画像をワークステーション１２０がタッチパネル１４０及びモニタ１５０のそれぞれに出力することが該当する。或いは、当該動画像をワークステーション１２０を経由して分配装置１３０が入力し、入力した動画像を分配装置１３０が第１モニタ１５１、第２モニタ１５２及び第３モニタ１５３のそれぞれに出力することが該当する。
なお、「一の動画像を複数に分配する」場合には、複数の出力先に対して同じ出力方式を用いてもよく、異なる形式の出力方式を用いてもよい。例えば、本実施形態におけるタッチパネル１４０及びモニタ１５０に対するワークステーション１２０の出力方式はいずれについてもＨＤＭＩ（登録商標）（High-Definition Multimedia Interface）が採用されている。なお、ここで述べた出力方式は一具体例であり、出力先の仕様等に合わせて適切な出力方式が選択されればよい。
【００１７】
切替装置１１０は、手術に係る動画像を入力し、入力した動画像の中からタッチパネル１４０及びモニタ１５０に表示させる動画像を選択的に切り換える機能を有しており、当該機能はスイッチングとも称される。なお、タッチパネル１４０及びモニタ１５０に表示させる動画像の選択は、タッチパネル１４０に表示される操作画面Ｐ３又は操作アイコンＩ１〜Ｉ６を用いた操作に基づくが、この操作については後に詳述する。
【００１８】
ワークステーション１２０は、タッチパネル１４０及びモニタ１５０のそれぞれに対して動画像を出力し、互いの動画像を同期させる機能を有する。なお、ここで同期とは、互いの動画像の表示が同時に変化することであるが、各構成要素における処理上の遅延によって生じる時間差は許容するものとする。
また、ワークステーション１２０は、タッチパネル１４０が受け付けた操作に基づいて、タッチパネル１４０及びモニタ１５０における動画像の表示態様を変化させる機能、及び操作によって選択された動画像の出力を切替装置１１０に要求する機能を有する。
【００１９】
分配装置１３０は、ワークステーション１２０から出力される動画像を複数のモニタ１５０に分配（スプリット）する機能を有する。
【００２０】
タッチパネル１４０は、ディスプレイ装置と位置入力装置とを組み合わせた電子機器であり、ワークステーション１２０から出力された動画像を表示する機能と、操作者が触れた表示位置やその触れ方を認識して操作を受け付ける機能と、を有する。
【００２１】
モニタ１５０は、ディスプレイ装置であり、ワークステーション１２０から出力された動画像を表示する機能を有する。また、モニタ１５０は、本実施形態においては第１モニタ１５１、第２モニタ１５２及び第３モニタ１５３の総称である。
【００２２】
なお、タッチパネル１４０のサイズや重さは、モニタ１５０のサイズや重さより小さいことが好ましい。タッチパネル１４０は動画像を表示しながら操作者が直感的に操作可能な装置であるため操作者の直近まで持ち運び容易であることが望ましいのに対して、モニタ１５０は視認容易な位置に設置すれば用が足り、持ち運ぶ必要性がタッチパネル１４０に比べて低いからである。
また、モニタ１５０の表示領域は、タッチパネル１４０の表示領域に比べて大きいことが好ましい。タッチパネル１４０の表示は操作者が視認できれば十分であるのに対して、モニタ１５０の表示は複数の手術スタッフが見渡せることが望ましいからである。
但し、タッチパネル１４０及びモニタ１５０のサイズや重さは、医療動画像表示システム１００の使用環境によって適宜選択可能であり、タッチパネル１４０とモニタ１５０とが同程度のサイズや大きさになることも許容される。
【００２３】
＜タッチパネル１４０及びモニタ１５０の表示と、その表示に係る操作について＞
次に、タッチパネル１４０及びモニタ１５０の表示と、その表示に係る操作について、図２から図１３を用いて説明する。
図２は、タッチパネル１４０の表示画面及びモニタ１５０の表示画面の一具体例を示す図である。図３は、モニタ１５０の表示画面に係る分割方式の一具体例を示す図である。図４から図１２は、タッチパネル１４０に係る操作方法を説明するための模式図である。図１３は、拡張パネルＥＸ３の拡大図である。
【００２４】
図２に示す例では、モニタ１５０の表示画面には、メイン画面Ｐ１及びサブ画面Ｐ２が含まれる。また、タッチパネル１４０の表示画面には、操作画面Ｐ３、メイン画面Ｐ４及びサブ画面Ｐ５が含まれる。
【００２５】
図２（ａ）は、ある時点において、モニタ１５０のメイン画面Ｐ１とサブ画面Ｐ２に別々の動画像が表示されている状態を示している。図２（ａ）に示すように、サブ画面Ｐ２は、メイン画面Ｐ１に重畳して表示される。
モニタ１５０の表示画面においてメイン画面Ｐ１とサブ画面Ｐ２とを表示する例を、図３に挙げる。例えば、図３（ａ）は、モニタ１５０の表示画面をメイン画面Ｐ１のみ（フルスクリーン）に用いた例である。図３（ｂ）は、メイン画面Ｐ１をモニタ１５０の表示画面全体に拡大して表示し、メイン画面Ｐ１の右下部にサブ画面Ｐ２を重畳させた例である。図３（ｃ）は、メイン画面Ｐ１をモニタ１５０の表示画面全体に拡大して表示し、メイン画面Ｐ１の左下部にサブ画面Ｐ２を重畳させた例である。図３（ｂ）は、メイン画面Ｐ１をモニタ１５０の表示画面全体に拡大して表示し、メイン画面Ｐ１の右下部と左下部の両方にサブ画面Ｐ２を重畳させた例、即ち一つのメイン画面Ｐ１に対して二つのサブ画面Ｐ２を表示させた例である。
なお、本発明の実施は図３に挙げた例示に限られず、例えば、一つのメイン画面Ｐ１に対してサブ画面Ｐ２を三つ以上設けてもよいし、モニタ１５０の表示画面全体をサブ画面Ｐ２のみで等分割（２分割や４分割等）してもよい。
【００２６】
図２（ｂ）は、タッチパネル１４０のメイン画面Ｐ４に当該時点におけるメイン画面Ｐ１と同期している動画像が表示され、且つ、タッチパネル１４０のサブ画面Ｐ５に当該時点におけるサブ画面Ｐ２と同期している動画像が表示されている状態を示している。また、図２（ｂ）は、タッチパネル１４０において操作画面Ｐ３が拡大表示されている状態を示している。
図２（ｃ）は、タッチパネル１４０のメイン画面Ｐ４に当該時点におけるメイン画面Ｐ１と同期している動画像が表示され、且つ、タッチパネル１４０のサブ画面Ｐ５に当該時点におけるサブ画面Ｐ２と同期している動画像が表示されている状態を示している。また、図２（ｃ）は、タッチパネル１４０において操作画面Ｐ３が縮小表示されている状態を示している。
図４（ａ）に示すように、縮小表示されている操作画面Ｐ３の中央には上矢印表示Ｐ３３が表示されており、上矢印表示Ｐ３３がタッチ操作されると操作画面Ｐ３は拡大表示になる。また、図４（ｂ）に示すように、拡大表示されている操作画面Ｐ３の中央上部には下矢印表示Ｐ３２が表示されており、下矢印表示Ｐ３２がタッチ操作されると操作画面Ｐ３は縮小表示になる。
【００２７】
タッチパネル１４０に表示される操作画面Ｐ３には、切替装置１１０から入力した動画像のサムネイルＰ３１が含まれている。換言すれば、操作画面Ｐ３には、操作者による選択の有無に関わらず、切替装置１１０が入力した全ての動画像が表示される。
ワークステーション１２０は、サムネイルＰ３１に示された動画像のうちタッチパネル１４０が受け付けたタッチ操作に基づいて選択された動画像をサムネイルＰ３１とは個別にタッチパネル１４０に表示させると共に、当該動画像をモニタ１５０に表示させる。
ここでサムネイルとは、動画像の一覧である。本実施形態においては、切替装置１１０が入力した全ての動画像が、サムネイルＰ３１としてそのまま操作画面Ｐ３に表示可能に構成されており、各動画像はメイン画面Ｐ１やサブ画面Ｐ２に表示される動画像と同期する。但し、この態様は一具体例であり、サムネイルＰ３１として操作画面Ｐ３に表示される動画像は、各々の動画像の少なくとも要旨が分かる程度の表示（例えば、各動画像の冒頭部分やタイトル等）であってもよい。
なお、図２（ｂ）等には、サムネイルＰ３１に三つの動画像が表示されている例が図示されているが、サムネイルＰ３１に表示可能な動画像の数は適宜増減してもよい。
また、図２（ｂ）に示すように、タッチパネル１４０上のメイン画面Ｐ４やサブ画面Ｐ５の配置によっては、操作画面Ｐ３が重畳することによってメイン画面Ｐ４やサブ画面Ｐ５における動画像の表示を隠してしまうことがありうる。この対策として、操作画面Ｐ３の表示は一定程度の透過性を持たせることが好ましい。なぜならば、メイン画面Ｐ４やサブ画面Ｐ５に操作画面Ｐ３が重畳したとしても、メイン画面Ｐ４やサブ画面Ｐ５に表示された動画像を視認することができるからである。
【００２８】
操作画面Ｐ３（サムネイルＰ３１）に表示されている動画像を選択する操作について、図５を用いてより詳細に説明する。なお、図５（ａ）に示される指さし図柄Ｈ１は、操作者が画面に触れていることを表すものであって、タッチパネル１４０上の画面上に表示されるものではない。以下の説明に登場する指さし図柄Ｈ２〜Ｈ８についても、同様である。
例えば、操作画面Ｐ３に動画像Ｍ１、動画像Ｍ２、動画像Ｍ３が表示されており、操作者が動画像Ｍ２に一度触れた（タッチ操作した）ものとする（図５（ａ）参照）。この場合、ワークステーション１２０は、動画像Ｍ２に重畳するように操作アイコンＩ１、操作アイコンＩ２、操作アイコンＩ３を表示させる（図５（ｂ）参照）。
操作アイコンＩ１に触れると、ワークステーション１２０は、メイン画面Ｐ４に表示されている画像と入れ替えて、メイン画面Ｐ４に動画像Ｍ２を表示させる。
操作アイコンＩ２に触れると、ワークステーション１２０は、メイン画面Ｐ４の表示態様に関わらず、フルスクリーンで動画像Ｍ２を表示させる。
操作アイコンＩ３に触れると、ワークステーション１２０は、メイン画面Ｐ４に重畳させてサブ画面Ｐ５を新たに設けて、サブ画面Ｐ５に動画像Ｍ２を表示させる。ここでサブ画面Ｐ５が設けられる位置は、図３に挙げた例等に倣って、事前に設定されていてもよい。なお、既にサブ画面Ｐ５が表示されている場合には、ワークステーション１２０は、その時点でサブ画面Ｐ５に表示されている画像と入れ替えて、サブ画面Ｐ５に動画像Ｍ２を表示させてもよい。
【００２９】
また、操作者は、以下のような操作によっても、操作画面Ｐ３（サムネイルＰ３１）に表示されている動画像を選択することができる。
図６（ａ）は、操作画面Ｐ３に表示されている動画像Ｍ３をタッチしたまま（指さし図柄Ｈ２で示す操作）メイン画面Ｐ４上に動画像Ｍ３を移動させるような操作（矢印図柄Ａ１と指さし図柄Ｈ３で示す操作）を示している。このような操作を、本実施形態ではドラッグ操作と称する。
上記のような操作をタッチパネル１４０が受け付けることにより、ワークステーション１２０は、動画像Ｍ３をドラッグした位置においてメイン画面Ｐ４に重畳するようにサブ画面Ｐ５を設けて、サブ画面Ｐ５に動画像Ｍ３を表示させることができる。このとき、タッチパネル１４０の表示画面上は、あたかも操作画面Ｐ３からサブ画面Ｐ５に動画像Ｍ３を移動させたかのように見える。
【００３０】
また、ドラッグ操作は次のような処理にも用いることができる。
例えば、図７（ａ）は、サブ画面Ｐ５に表示されている動画像Ｍ３をタッチしたまま（指さし図柄Ｈ４で示す操作）メイン画面Ｐ４の右下部から左上部に動画像Ｍ３を移動させるような操作（矢印図柄Ａ２と指さし図柄Ｈ５で示す操作）を示している。このような操作も、本実施形態ではドラッグ操作と称する。
上記のような操作をタッチパネル１４０が受け付けることにより、ワークステーション１２０は、サブ画面Ｐ５（動画像Ｍ３）の表示位置を移動させることができる（図７（ｂ）参照）。
【００３１】
上記のドラッグ操作による二つの表示処理を整理すると、以下のように換言できる。
即ち、ワークステーション１２０は、タッチパネル１４０の表示領域の一部に表示させている動画像の表示位置を、タッチパネル１４０が受け付けたドラッグ操作に基づいて移動可能に構成されている。更に、ワークステーション１２０は、タッチパネル１４０が受け付けたドラッグ操作による動画像の表示位置の移動に応じて、モニタ１５０における動画像の表示位置も移動させることができる。
【００３２】
更に、ドラッグ操作は次のような処理にも用いることができる。
例えば、図８（ａ）は、サブ画面Ｐ５の隅部（又は外郭）をタッチしたまま（指さし図柄Ｈ６で示す操作）、そのタッチした部分をサブ画面Ｐ５の外側方向（図８（ａ）においては右下方向）に移動させるような操作（矢印図柄Ａ３と指さし図柄Ｈ７で示す操作）を示している。このような操作も、本実施形態ではドラッグ操作と称する。
上記のような操作をタッチパネル１４０が受け付けることにより、ワークステーション１２０は、サブ画面Ｐ５（動画像Ｍ３）の外枠のサイズを拡大させることができる（図８（ｂ）参照）。
なお、図示省略するが、サブ画面Ｐ５の隅部（又は外郭）をタッチしたまま、そのタッチした部分をサブ画面Ｐ５の内側方向に移動させるような操作をタッチパネル１４０が受け付けた場合、ワークステーション１２０は、サブ画面Ｐ５のサイズを縮小させることができる。
【００３３】
上記のドラッグ操作による表示処理を整理すると、以下のように換言できる。
ワークステーション１２０は、タッチパネル１４０の表示領域に表示させている動画像のサイズを、タッチパネル１４０が受け付けたドラッグ操作に基づいて拡縮可能に構成されている。更に、ワークステーション１２０は、ドラッグ操作による動画像のサイズの拡縮に応じて、モニタ１５０における動画像のサイズも拡縮させることができる。
【００３４】
更に、タッチパネル１４０がピンチ操作を受け付けることによって、ワークステーション１２０は次のような処理を行うことができる。ここでピンチ操作とは、２本の指でタッチパネル１４０の表示領域上の２点をタッチし、タッチしている２点の間隔を拡大又は縮小する操作をいう。
例えば、図９（ａ）は、サブ画面Ｐ５に表示されている動画像Ｍ３の表示領域のうち２点をタッチし、当該２点を拡大するピンチ操作（矢印図柄Ａ４と指さし図柄Ｈ９で示す操作）を示している。
このようなピンチ操作をタッチパネル１４０が受け付けることにより、ワークステーション１２０は、サブ画面Ｐ５の外郭のサイズを維持したまま動画像Ｍ３の一部を拡大表示させることができる（図９（ｂ）参照）。図９（ｂ）に図示される指さし図柄Ｈ１０は、指さし図柄Ｈ９に比べて、タッチしている２点の間隔を拡大した旨を表している。
本実施形態におけるタッチパネル１４０は、等倍（１倍）から３倍までの範囲で拡縮可能な構成である。但し、この範囲は一具体例であり、３倍を超える拡大を可能としてもよいし、等倍を下回る縮小を可能としてもよい。
【００３５】
上記のようなピンチ操作を受け付けると、サブ画面Ｐ５に付随して拡張パネルＥＸ１が表示され、現時点における拡大倍率が示される。例えば、図９（ａ）に示す拡張パネルＥＸ１では、その時点で動画像Ｍ３が等倍表示である旨を示している。また、図９（ｂ）に示す拡張パネルＥＸ１では、その時点で動画像Ｍ３が３倍表示である旨を示している。
更に、上記のようなピンチ操作により動画像Ｍ３が１倍を超える拡大倍率でサブ画面Ｐ５に表示されている場合、拡大表示中である旨を示すステータスアイコンＳＴ１がサブ画面Ｐ５の隅部に表示される。当該ピンチ操作を行っていない者（例えば、タッチパネル１４０の同期画像が表示されるモニタ１５０を視ている者）に対して、動画像Ｍ３が拡大表示中であること（等倍表示ではないこと）を報知するためである。
【００３６】
なお、図９を用いた説明では、サブ画面Ｐ５に表示されている動画像Ｍ３をピンチ操作によって拡縮する例について述べたが、メイン画面Ｐ４に表示されている動画像Ｍ２についても、同様のピンチ操作によって拡縮可能な構成を採用してもよい。
【００３７】
更に、タッチパネル１４０は表示領域の２点がタッチされている状態のドラッグ操作を受け付けることによって、ワークステーション１２０は次のような処理を行うことができる。
例えば、図１０（ａ）は、上記のピンチ操作によって一部が拡大表示された動画像Ｍ３に対する２点タッチを行っている状態で、タッチしている２点を左下方向に移動させるような操作（矢印図柄Ａ５と指さし図柄Ｈ１１で示す操作）を示している。このような操作も、本実施形態ではドラッグ操作と称する。
上記のようなドラッグ操作をタッチパネル１４０が受け付けることにより、ワークステーション１２０は、サブ画面Ｐ５の中に表示されている動画像Ｍ３の表示位置を移動させることができる。例えば、図１０（ａ）におけるサブ画面Ｐ５には動画像Ｍ３の中央部が表示されているが、上記のようなドラッグ操作を受け付けることによって、図１０（ｂ）におけるサブ画面Ｐ５には動画像Ｍ３の左下部を表示させることができる。なお、図１０（ｂ）に図示される指さし図柄Ｈ１２は、指さし図柄Ｈ１１で示す位置から、左下にタッチしている位置が移動した旨を表している。
【００３８】
上記のようなドラッグ操作を受け付けると、サブ画面Ｐ５に付随して拡張パネルＥＸ２が表示され、現時点における動画像Ｍ３の表示位置が示される。例えば、図１０（ａ）に示す拡張パネルＥＸ２では、拡張パネルＥＸ２の中央部に位置報知枠ＥＸ２１が表示されることによって、その時点で動画像Ｍ３の中央部が表示されている旨が示される。また、図１０（ｂ）に示す拡張パネルＥＸ２では、拡張パネルＥＸ２の左下部に位置報知枠ＥＸ２１が移動することによって、動画像Ｍ３の表示位置が左下部に移動した旨が示される。
これにより、当該ドラッグ操作を行っていない者（例えば、タッチパネル１４０の同期画像が表示されるモニタ１５０を視ている者）に対しても、動画像Ｍ３の表示位置が明示される。
【００３９】
なお、図１０を用いた説明では、サブ画面Ｐ５に表示されている動画像Ｍ３をドラッグ操作で移動する例について述べたが、メイン画面Ｐ４に表示されている動画像Ｍ２についても、同様のドラッグ操作によって移動可能としてもよい。
【００４０】
更に、タッチパネル１４０の表示領域の２点がタッチされている状態の回転操作を受け付けることによって、ワークステーション１２０は次のような処理を行うことができる。
例えば、図１１（ａ）は、サブ画面Ｐ５に表示された動画像Ｍ３に対する２点タッチを行っている状態で、タッチしている２点を回転させるような操作（矢印図柄Ａ６と指さし図柄Ｈ１３で示す操作）を示している。このような操作を、本実施形態では回転操作と称する。
上記のような回転操作をタッチパネル１４０が受け付けることにより、ワークステーション１２０は、サブ画面Ｐ５の中に表示されている動画像Ｍ３の表示位置を回転操作の方向に９０度回転させることができる。例えば、図１１（ａ）におけるサブ画面Ｐ５に表示されている動画像Ｍ３に対して行われる回転操作が時計回りである場合、動画像Ｍ３が時計回りに９０度回転した状態でサブ画面Ｐ５に表示される（図１１（ｂ）参照）。なお、図１１（ｂ）に図示される指さし図柄Ｈ１４は、指さし図柄Ｈ１３で示す２点のタッチ位置が時計回りに回転した旨を表している。
【００４１】
上記のような回転操作を受け付けると、図１１（ｂ）に示すように、回転表示中である旨を示すステータスアイコンＳＴ２がサブ画面Ｐ５の隅部に表示される。当該回転操作を行っていない者（例えば、タッチパネル１４０の同期画像が表示されるモニタ１５０を視ている者）に対して、動画像Ｍ３が回転表示中であることを報知するためである。
【００４２】
なお、図１１を用いた説明では、サブ画面Ｐ５に表示されている動画像Ｍ３を回転操作で回転させる例について述べたが、メイン画面Ｐ４に表示されている動画像Ｍ２についても、同様の回転操作によって回転させてもよい。
また、図１１を用いた説明では、サブ画面Ｐ５に表示されている動画像Ｍ３を時計回りに回転させる例について述べたが、タッチパネル１４０が受け付けた回転操作が反時計回りである場合には、動画像Ｍ３を反時計回りに９０度回転させてもよい。
また、図１１を用いた説明では、タッチパネル１４０が回転操作を１回受け付けることによって動画像Ｍ３が９０度回転してサブ画面Ｐ５に表示される例を述べたが、タッチパネル１４０が回転操作を受け付けるごとに更に９０度回転させてもよい。即ち、回転操作を２回受け付けると動画像Ｍ３が１８０度回転して表示されてもよく、回転操作を３回受け付けると動画像Ｍ３が２７０度回転して表示されてもよく、回転操作を４回受け付けると３６０度回転して（原位置にて）表示されてもよい。
【００４３】
図９から図１１を用いて説明した２点タッチを条件とするサブ画面に対する各操作（ピンチ操作、ドラッグ操作、及び回転操作）に基づく表示処理を整理すると、以下のように換言できる。
即ち、ワークステーション１２０は、タッチパネル１４０及びモニタ１５０の表示領域をメイン画面とメイン画面に重畳しているサブ画面とに分割して動画像を表示させることができ、タッチパネル１４０のサブ画面に動画像を表示させている場合において、当該サブ画面に対して行った操作に基づいて当該サブ画面の表示態様を変更させることができる。このとき、ワークステーション１２０は、タッチパネル１４０のサブ画面に表示されている動画像をモニタ１５０のサブ画面に分配して表示させ、且つタッチパネル１４０のサブ画面に対する操作に基づく表示態様の変更がモニタ１５０のサブ画面の表示態様に反映される。
例えば、タッチパネル１４０のサブ画面に対して行ったピンチ操作に基づいて、当該サブ画面の外郭のサイズを維持したまま表示中の動画像のサイズを拡縮可能であり、且つ、タッチパネル１４０のサブ画面に対するピンチ操作に基づく動画像のサイズの拡縮に応じて、モニタ１５０のサブ画面の外郭のサイズを維持したまま当該サブ画面に表示されている動画像のサイズを拡縮可能である。
或いは、タッチパネル１４０のサブ画面に対して行ったドラッグ操作に基づいて、当該サブ画面の表示位置を維持したまま表示中の動画像の表示位置を移動させることができ、且つ、タッチパネル１４０のサブ画面に対するピンチ操作に基づく動画像の表示位置の移動に応じて、モニタ１５０のサブ画面の表示位置を維持したまま当該サブ画面に表示されている動画像の表示位置を移動させることができる。
更には、タッチパネル１４０のサブ画面に対して行った回転操作に基づいて、当該サブ画面の表示角度を維持したまま表示中の動画像を回転させることができ、且つ、タッチパネル１４０のサブ画面に対する操作に基づく動画像の表示角度の回転に応じて、モニタ１５０のサブ画面の表示角度を維持したまま当該サブ画面に表示されている動画像を回転させることができる。
【００４４】
また、図９から図１１を用いて説明した２点タッチを条件とするサブ画面に対する各操作は、メイン画面に対しても適用可能である。即ち、ワークステーション１２０は、タッチパネル１４０のメイン画面に動画像を表示させている場合において、当該メイン画面に対して行った操作に基づいて当該メイン画面の表示態様を変更させることができる。このとき、ワークステーション１２０は、タッチパネル１４０のメイン画面に表示されている動画像をモニタ１５０のメイン画面に分配して表示させ、且つタッチパネル１４０のメイン画面に対する操作に基づく表示態様の変更がモニタ１５０のメイン画面の表示態様に反映される。
例えば、タッチパネル１４０のメイン画面に対して行ったピンチ操作に基づいて当該メイン画面に表示中の動画像のサイズを拡縮可能であり、且つ、タッチパネル１４０のメイン画面に対するピンチ操作に基づく動画像のサイズの拡縮に応じて、モニタ１５０のメイン画面に表示されている動画像のサイズを拡縮可能である。
或いは、タッチパネル１４０のメイン画面に対して行ったドラッグ操作に基づいて当該メイン画面に表示中の動画像の表示位置を移動させることができ、且つ、タッチパネル１４０のメイン画面に対するピンチ操作に基づく動画像の表示位置の移動に応じて、モニタ１５０のメイン画面に表示されている動画像の表示位置を移動させることができる。
更には、タッチパネル１４０のメイン画面に対して行った回転操作に基づいて当該メイン画面に表示中の動画像を回転させることができ、且つ、タッチパネル１４０のメイン画面に対する操作に基づく動画像の表示角度の回転に応じて、モニタ１５０のメイン画面に表示されている動画像を回転させることができる。
【００４５】
これまで述べた操作以外にも、タッチパネル１４０は次のような操作を受け付けることができる。
例えば、メイン画面Ｐ４とサブ画面Ｐ５とがタッチパネル１４０に表示されている状態において、操作者がサブ画面Ｐ５を触れると、サムネイルＰ３１に表示されている動画像に触れた場合と同様に、ワークステーション１２０は、サブ画面Ｐ５に表示されている動画像Ｍ３に重畳するように操作アイコンＩ４、操作アイコンＩ５、操作アイコンＩ６、操作アイコンＩ７を表示させる（図１２（ａ）参照）。
この状態において操作アイコンＩ４に触れると、ワークステーション１２０は、メイン画面Ｐ４に表示されている動画像Ｍ３と入れ替えてメイン画面Ｐ４に動画像Ｍ２を表示させ、サブ画面Ｐ５に表示されている動画像Ｍ２と入れ替えてサブ画面Ｐ５に動画像Ｍ３を表示させる（不図示）。
また、この状態において操作アイコンＩ５に触れると、ワークステーション１２０は、メイン画面Ｐ４の表示態様に関わらず、フルスクリーンで動画像Ｍ３を表示させる（不図示）。
また、この状態において操作アイコンＩ６に触れると、ワークステーション１２０は、サブ画面Ｐ５をメイン画面Ｐ４上から消失させる（不図示）。即ち、ワークステーション１２０は、タッチパネル１４０にメイン画面Ｐ４のみを表示させる。
【００４６】
更に、図１２（ａ）に示す状態において操作アイコンＩ７に触れると、ワークステーション１２０は、サブ画面Ｐ５に付随して拡張パネルＥＸ３を表示させる。なお、図１２（ａ）において指さし図柄Ｈ１５は、操作者が操作アイコンＩ７に触れている旨を表す。
拡張パネルＥＸ３には、操作アイコンＩ８から操作アイコンＩ２０までのアイコンが含まれる（図１３参照）。
操作アイコンＩ８に触れると、ワークステーション１２０はサブ画面Ｐ５に表示されている動画像Ｍ３を時計回りに９０度回転させる。即ち、上記の回転操作に応じて行われる処理と同様の処理が行われる。また、操作アイコンＩ９に触れると、ワークステーション１２０は回転表示中の動画像Ｍ３を原位置に戻す。なお、操作アイコンＩ９は、操作アイコンＩ８の操作によって回転表示している動画像Ｍ３にのみならず、上記の回転操作に応じて回転表示している動画像Ｍ３を原位置に戻すことも可能である。
操作アイコンＩ１０に触れると、ワークステーション１２０はサブ画面Ｐ５に表示されている動画像Ｍ３を左右反転させ、操作アイコンＩ１１に触れると、ワークステーション１２０はサブ画面Ｐ５に表示されている動画像Ｍ３を上下反転させる。また、操作アイコンＩ１２に触れると、ワークステーション１２０は左右反転中又は上下反転中の動画像Ｍ３を原位置に戻す。
操作アイコンＩ１３に触れると、ワークステーション１２０はサブ画面Ｐ５に表示されている動画像Ｍ３の明るさ（輝度）を上昇させ、操作アイコンＩ１４に触れると、ワークステーション１２０はサブ画面Ｐ５に表示されている動画像Ｍ３の明るさを下降させる。また、操作アイコンＩ１５に触れると、ワークステーション１２０は基準値より上昇中又は下降中である動画像Ｍ３の明るさを基準値に戻す。なお、操作アイコンＩ１３と操作アイコンＩ１４の間に図示される数値は、動画像Ｍ３の明るさを表す数値であり、０（零）は基準値である旨を表している。
操作アイコンＩ１６に触れると、ワークステーション１２０はサブ画面Ｐ５に表示されている動画像Ｍ３のコントラスト（明暗比）を上昇させ、操作アイコンＩ１７に触れると、ワークステーション１２０はサブ画面Ｐ５に表示されている動画像Ｍ３のコントラストを下降させる。また、操作アイコンＩ１８に触れると、ワークステーション１２０は基準値より上昇中又は下降中である動画像Ｍ３のコントラストを基準値に戻す。なお、操作アイコンＩ１６と操作アイコンＩ１７の間に図示される数値は、動画像Ｍ３のコントラストを表す数値であり、０（零）は基準値である旨を表している。
操作アイコンＩ１９に触れると、ワークステーション１２０は拡張パネルＥＸ３で変更可能なパラメータ（動画像Ｍ３の表示角度、表示位置、反転、明るさ、コントラスト）の全てを元の状態に戻す。また、操作アイコンＩ２０に触れると、ワークステーション１２０は拡張パネルＥＸ３を閉じる（図１２（ａ）の状態に戻す）。
【００４７】
なお、図１３に図示する操作アイコンのうち、操作アイコンＩ８の操作については上記の回転操作と同様の処理が行われる旨を述べたが、他の操作アイコンの操作もタッチパネル１４０上の簡易な操作（操作アイコンを表示させずとも可能な操作）に代替できてもよい。例えば、サブ画面Ｐ５の端部をなぞる（端部に含まれる或る点をタッチした状態で端部方向に指を動かす）ことによって、サブ画面Ｐ５に表示されている動画像Ｍ３の明るさやコントラストを変化させてもよい。
また、図１２や図１３に図示した操作アイコンは、操作者がサブ画面Ｐ５を触れることに応じてサブ画面Ｐ５の中に表示されるものであったが、操作者がサブ画面Ｐ４を触れることに応じてサブ画面Ｐ４の中に表示される操作アイコンが別に設けられてもよい。このとき、サブ画面Ｐ４の中に表示される操作アイコンは、メイン画面Ｐ４の表示態様を変化させるものである。
【００４８】
以上のような操作によってタッチパネル１４０及びモニタ１５０の表示が変化するので、操作者は直感的にモニタ１５０上の表示（メイン画面Ｐ１及びサブ画面Ｐ２）を操作することができ、その操作性が向上する。
【００４９】
なお、上述したタッチパネル１４０における操作は一具体例であって、本発明の実施においてタッチパネル１４０が受け付けうる操作と、受け付けた操作に応じて生じるタッチパネル１４０及びモニタ１５０の表示変化は上述したものに限られない。
【００５０】
なお、ワークステーション１２０は、操作画面Ｐ３及び操作アイコンＩ１〜Ｉ２０（操作アイコンＩ８〜Ｉ２０を包含する拡張パネルＥＸ３を含む）を、モニタ１５０に表示させないことが好ましい。即ち、ワークステーション１２０が動画像をタッチパネル１４０及びモニタ１５０の双方に分配する処理において、タッチパネル１４０に配信する動画像にのみ操作画面Ｐ３及び操作アイコンＩ１〜Ｉ２０を付加しうるが、モニタ１５０には操作画面Ｐ３及び操作アイコンＩ１〜Ｉ２０を常に付加しない構成であることが望ましい。
なぜならば、操作画面Ｐ３及び操作アイコンＩ１〜Ｉ６は操作を受け付けるための表示であって、操作を受け付ける手段ではないモニタ１５０には本来的に表示する必要がないものであり、これらを表示させると却ってモニタ１５０における動画像の視認性を低下させる虞があるからである。
【００５１】
＜本発明の変形例について＞
ここまで各図を用いて説明される実施形態に即して本発明を説明したが、本発明は上述の実施形態に限定されるものではなく、本発明の目的が達成される限りにおける種々の変形、改良等の態様も含む。
【００５２】
上記の実施形態におけるモニタ１５０は、第１モニタ１５１と第２モニタ１５２と第３モニタ１５３の三台のディスプレイ装置が該当するように説明したが、本発明の実施はこれに限られない。
例えば、タッチパネル１４０とモニタ１５０とがそれぞれ一台である態様によって本発明が実施されてもよく、この態様において上記の実施形態における分配装置１３０は省かれてもよい。
【００５３】
上記の実施形態における分配装置１３０は、ワークステーション１２０から出力される動画像を複数のディスプレイ装置（第１モニタ１５１、第２モニタ１５２及び第３モニタ１５３）に分配するのみであったが、分配装置１３０はディスプレイ装置とは異なる機器に対して動画像を分配してもよい。
例えば、分配装置１３０は、ワークステーション１２０から出力される動画像を、動画像を記録するレコーダ機器（図示せず）に分配してもよい。
【００５４】
図４から図１３に示す具体例において、タッチパネル１４０には操作画面Ｐ３が拡大表示又は縮小表示されている例のみを挙げたが、タッチパネル１４０に常に操作画面Ｐ３が表示されている必要はない。
例えば、操作画面Ｐ３に触れた状態でタッチパネル１４０の表示画面外に操作画面Ｐ３を移動させるような操作を受け付けた場合、ワークステーション１２０は操作画面Ｐ３を非表示にしてもよい。このような操作は、スワイプ操作とも称される。
【００５５】
上記の実施形態の説明においては図１に図示する構成要素を前提として説明したが、本発明の各構成要素は、その機能を実現するように形成されていればよい。従って、本発明の各構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００５６】
本実施形態は以下の技術思想を包含する。
（１）手術に係る動画像を一又は複数入力する入力手段と、前記入力手段から入力した一の前記動画像を複数に分配してタッチパネル及びモニタの双方に表示させる制御手段と、を備え、前記制御手段は、前記動画像を表示させている前記タッチパネルに、前記モニタに係る操作を受け付ける操作画面又は操作アイコンを表示させる医療動画像表示システム。
（２）前記制御手段は、前記タッチパネルの表示領域の一部に表示させている前記動画像の表示位置を、前記タッチパネルが受け付けたドラッグ操作に基づいて移動可能に構成されており、且つ、ドラッグ操作による前記動画像の表示位置の移動に応じて、前記モニタにおける前記動画像の表示位置も移動させる（１）に記載の医療動画像表示システム。
（３）前記制御手段は、前記タッチパネルの表示領域に表示させている前記動画像のサイズを、前記タッチパネルが受け付けたドラッグ操作に基づいて拡縮可能に構成されており、且つ、ドラッグ操作による前記動画像のサイズの拡縮に応じて、前記モニタにおける前記動画像のサイズも拡縮させる（１）または（２）に記載の医療動画像表示システム。
（４）前記制御手段は、前記タッチパネル及び前記モニタの表示領域をメイン画面と前記メイン画面に重畳しているサブ画面とに分割して前記動画像を表示させることができ、前記タッチパネルの前記サブ画面に前記動画像を表示させている場合において、当該サブ画面に対して行った操作に基づいて当該サブ画面の表示態様を変更させることができ、前記タッチパネルの前記サブ画面に表示されている前記動画像を前記モニタの前記サブ画面に分配して表示させ、且つ前記タッチパネルの前記サブ画面に対する操作に基づく表示態様の変更が前記モニタの前記サブ画面の表示態様に反映される（１）から（３）のいずれか一つに記載の医療動画像表示システム。
（５）前記制御手段は、前記タッチパネルの前記メイン画面に前記動画像を表示させている場合において、当該メイン画面に対して行った操作に基づいて当該サブ画面の表示態様を変更させることができ、前記タッチパネルの前記メイン画面に表示されている前記動画像を前記モニタの前記メイン画面に分配して表示させ、且つ前記タッチパネルの前記メイン画面に対する操作に基づく表示態様の変更が前記モニタの前記メイン画面の表示態様に反映される（４）に記載の医療動画像表示システム。
（６）前記制御手段は、前記タッチパネルの前記サブ画面に前記動画像を表示させている場合において、当該サブ画面に対して行った操作に基づいて、当該サブ画面の外郭のサイズを維持したまま当該動画像のサイズを拡縮可能であり、且つ、前記タッチパネルの前記サブ画面に対するピンチ操作に基づく前記動画像のサイズの拡縮に応じて、前記モニタの前記サブ画面の外郭のサイズを維持したまま当該サブ画面に表示されている前記動画像のサイズを拡縮可能である（４）又は（５）に記載の医療動画像表示システム。
（７）前記制御手段は、前記タッチパネルの前記サブ画面に前記動画像を表示させている場合において、当該サブ画面に対して行った操作に基づいて、当該サブ画面の表示位置を維持したまま当該動画像の表示位置を移動させることができ、且つ、前記タッチパネルの前記サブ画面に対するピンチ操作に基づく前記動画像の表示位置の移動に応じて、前記モニタの前記サブ画面の表示位置を維持したまま当該サブ画面に表示されている前記動画像の表示位置を移動させることができる（４）から（６）のいずれか一つに記載の医療動画像表示システム。
（８）前記制御手段は、前記タッチパネルの前記サブ画面に前記動画像を表示させている場合において、当該サブ画面に対して行った操作に基づいて、当該サブ画面の表示角度を維持したまま当該動画像を回転させることができ、且つ、前記タッチパネルの前記サブ画面に対する操作に基づく前記動画像の表示角度の回転に応じて、前記モニタの前記サブ画面の表示角度を維持したまま当該サブ画面に表示されている前記動画像を回転させることができる（４）から（７）のいずれか一つに記載の医療動画像表示システム。
（９）前記タッチパネルに表示される前記操作画面には、前記入力手段から入力した前記動画像のサムネイルが含まれており、前記制御手段は、前記サムネイルに示された前記動画像のうち前記タッチパネルが受け付けたタッチ操作に基づいて選択された前記動画像を前記サムネイルとは個別に前記タッチパネルに表示させると共に、当該動画像を前記モニタに表示させる（１)から（８）のいずれか一つに記載の医療動画像表示システム。
（１０）前記制御手段は、前記操作画面及び前記操作アイコンを、前記モニタに表示させない（１）から（９）のいずれか一つに記載の医療動画像表示システム。
（１１）前記モニタの表示領域が、前記タッチパネルの表示領域に比べて大きい（１）から（１０）のいずれか一つに記載の医療動画像表示システム。
【符号の説明】
【００５７】
１００  医療動画像表示システム
１１０  切替装置
１２０  ワークステーション
１３０  分配装置
１４０  タッチパネル
１５０  モニタ
１５１  第１モニタ
１５２  第２モニタ
１５３  第３モニタ
【図１】
2018060517.tif 000003
【図２】
2018060517.tif 000004
【図３】
2018060517.tif 000005
【図４】
2018060517.tif 000006
【図５】
2018060517.tif 000007
【図６】
2018060517.tif 000008
【図７】
2018060517.tif 000009
【図８】
2018060517.tif 000010
【図９】
2018060517.tif 000011
【図１０】
2018060517.tif 000012
【図１１】
2018060517.tif 000013
【図１２】
2018060517.tif 000014
【図１３】
2018060517.tif 000015
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
手術に係る動画像を一又は複数入力する入力手段と、
前記入力手段から入力した一の前記動画像を複数に分配してタッチパネル及びモニタの双方に表示させる制御手段と、を備え、
前記制御手段は、
前記動画像を表示させている前記タッチパネルに、前記モニタに係る操作を受け付ける操作画面又は操作アイコンを表示させ、
前記タッチパネルの表示領域の一部に表示させている前記動画像の表示位置を、前記タッチパネルが受け付けたドラッグ操作に基づいて移動可能に構成されており、且つ、
ドラッグ操作による前記動画像の表示位置の移動に応じて、前記モニタにおける前記動画像の表示位置も移動させる医療動画像表示システム。
【請求項２】
手術に係る動画像を一又は複数入力する入力手段と、
前記入力手段から入力した一の前記動画像を複数に分配してタッチパネル及びモニタの双方に表示させる制御手段と、を備え、
前記制御手段は、
前記動画像を表示させている前記タッチパネルに、前記モニタに係る操作を受け付ける操作画面又は操作アイコンを表示させ、
前記タッチパネルの表示領域に表示させている前記動画像のサイズを、前記タッチパネルが受け付けたドラッグ操作に基づいて拡縮可能に構成されており、且つ、
ドラッグ操作による前記動画像のサイズの拡縮に応じて、前記モニタにおける前記動画像のサイズも拡縮させる医療動画像表示システム。
【請求項３】
手術に係る動画像を一又は複数入力する入力手段と、
前記入力手段から入力した一の前記動画像を複数に分配してタッチパネル及びモニタの双方に表示させる制御手段と、を備え、
前記制御手段は、
前記動画像を表示させている前記タッチパネルに、前記モニタに係る操作を受け付ける操作画面又は操作アイコンを表示させ、
前記タッチパネル及び前記モニタの表示領域をメイン画面と前記メイン画面に重畳しているサブ画面とに分割して前記動画像を表示させることができ、
前記タッチパネルの前記サブ画面に前記動画像を表示させている場合において、当該サブ画面に対して行った操作に基づいて当該サブ画面の表示態様を変更させることができ、
前記タッチパネルの前記サブ画面に表示されている前記動画像を前記モニタの前記サブ画面に分配して表示させ、且つ前記タッチパネルの前記サブ画面に対する操作に基づく表示態様の変更が前記モニタの前記サブ画面の表示態様に反映される医療動画像表示システム。
【請求項４】
前記制御手段は、
前記タッチパネルの前記メイン画面に前記動画像を表示させている場合において、当該メイン画面に対して行った操作に基づいて当該サブ画面の表示態様を変更させることができ、
前記タッチパネルの前記メイン画面に表示されている前記動画像を前記モニタの前記メイン画面に分配して表示させ、且つ前記タッチパネルの前記メイン画面に対する操作に基づく表示態様の変更が前記モニタの前記メイン画面の表示態様に反映される請求項３に記載の医療動画像表示システム。
【請求項５】
前記制御手段は、
前記タッチパネルの前記サブ画面に前記動画像を表示させている場合において、当該サブ画面に対して行った操作に基づいて、当該サブ画面の外郭のサイズを維持したまま当該動画像のサイズを拡縮可能であり、且つ、
前記タッチパネルの前記サブ画面に対するピンチ操作に基づく前記動画像のサイズの拡縮に応じて、前記モニタの前記サブ画面の外郭のサイズを維持したまま当該サブ画面に表示されている前記動画像のサイズを拡縮可能である請求項３又は４に記載の医療動画像表示システム。
【請求項６】
前記制御手段は、
前記タッチパネルの前記サブ画面に前記動画像を表示させている場合において、当該サブ画面に対して行った操作に基づいて、当該サブ画面の表示位置を維持したまま当該動画像の表示位置を移動させることができ、且つ、
前記タッチパネルの前記サブ画面に対するピンチ操作に基づく前記動画像の表示位置の移動に応じて、前記モニタの前記サブ画面の表示位置を維持したまま当該サブ画面に表示されている前記動画像の表示位置を移動させることができる請求項３から５のいずれか一項に記載の医療動画像表示システム。
【請求項７】
前記制御手段は、
前記タッチパネルの前記サブ画面に前記動画像を表示させている場合において、当該サブ画面に対して行った操作に基づいて、当該サブ画面の表示角度を維持したまま当該動画像を回転させることができ、且つ、
前記タッチパネルの前記サブ画面に対する操作に基づく前記動画像の表示角度の回転に応じて、前記モニタの前記サブ画面の表示角度を維持したまま当該サブ画面に表示されている前記動画像を回転させることができる請求項３から６のいずれか一項に記載の医療動画像表示システム。
【請求項８】
前記タッチパネルに表示される前記操作画面には、前記入力手段から入力した前記動画像のサムネイルが含まれており、
前記制御手段は、前記サムネイルに示された前記動画像のうち前記タッチパネルが受け付けたタッチ操作に基づいて選択された前記動画像を前記サムネイルとは個別に前記タッチパネルに表示させると共に、当該動画像を前記モニタに表示させる請求項１から７のいずれか一項に記載の医療動画像表示システム。
【請求項９】
前記制御手段は、前記操作画面及び前記操作アイコンを、前記モニタに表示させない請求項１から８のいずれか一項に記載の医療動画像表示システム。
【請求項１０】
前記モニタの表示領域が、前記タッチパネルの表示領域に比べて大きい請求項１から９のいずれか一項に記載の医療動画像表示システム。
【手続補正２】
【補正対象書類名】明細書
【補正対象項目名】０００７
【補正方法】変更
【補正の内容】
【０００７】
本発明によれば、手術に係る動画像を一又は複数入力する入力手段と、前記入力手段から入力した一の前記動画像を複数に分配してタッチパネル及びモニタの双方に表示させる制御手段と、を備え、前記制御手段は、前記動画像を表示させている前記タッチパネルに、前記モニタに係る操作を受け付ける操作画面又は操作アイコンを表示させ、前記タッチパネルの表示領域の一部に表示させている前記動画像の表示位置を、前記タッチパネルが受け付けたドラッグ操作に基づいて移動可能に構成されており、且つ、ドラッグ操作による前記動画像の表示位置の移動に応じて、前記モニタにおける前記動画像の表示位置も移動させる医療動画像表示システムが提供される。
また、本発明によれば、手術に係る動画像を一又は複数入力する入力手段と、前記入力手段から入力した一の前記動画像を複数に分配してタッチパネル及びモニタの双方に表示させる制御手段と、を備え、前記制御手段は、前記動画像を表示させている前記タッチパネルに、前記モニタに係る操作を受け付ける操作画面又は操作アイコンを表示させ、前記タッチパネルの表示領域に表示させている前記動画像のサイズを、前記タッチパネルが受け付けたドラッグ操作に基づいて拡縮可能に構成されており、且つ、ドラッグ操作による前記動画像のサイズの拡縮に応じて、前記モニタにおける前記動画像のサイズも拡縮させる医療動画像表示システムが提供される。
更に、本発明によれば、手術に係る動画像を一又は複数入力する入力手段と、前記入力手段から入力した一の前記動画像を複数に分配してタッチパネル及びモニタの双方に表示させる制御手段と、を備え、前記制御手段は、前記動画像を表示させている前記タッチパネルに、前記モニタに係る操作を受け付ける操作画面又は操作アイコンを表示させ、前記タッチパネル及び前記モニタの表示領域をメイン画面と前記メイン画面に重畳しているサブ画面とに分割して前記動画像を表示させることができ、前記タッチパネルの前記サブ画面に前記動画像を表示させている場合において、当該サブ画面に対して行った操作に基づいて当該サブ画面の表示態様を変更させることができ、前記タッチパネルの前記サブ画面に表示されている前記動画像を前記モニタの前記サブ画面に分配して表示させ、且つ前記タッチパネルの前記サブ画面に対する操作に基づく表示態様の変更が前記モニタの前記サブ画面の表示態様に反映される医療動画像表示システムが提供される。